(57)【特許請求の範囲】
【請求項１】
紫外線発光ダイオードが配置されている発光板部材と、
該発光板部材が固定されている天板部と、該天板部を挟んで対向する第１の側板部および第２の側板部とを有し、前記発光板部材の前記紫外線発光ダイオードが発生する紫外線が照射される照射スペースが前記天板部と前記第１、第２の側板部とによって形成されているカバー部材と、
該カバー部材の前記照射スペースを、前記発光板部材側の有効スペースと、該有効スペース以外の非有効スペースとに仕切る仕切部材とを有し、
前記第１の側板部は、前記有効スペースにつながる第１の通気孔を有し、
前記第２の側板部は、前記有効スペースにつながる第２の通気孔を有し、
前記仕切部材は、前記照射スペース内において、前記第１の側板部側から前記第２の側板部側に向かって上り傾斜状に配置され、
前記カバー部材の前記天板部が室内天井に固定される形状を有している室内照明空気浄化装置。
【請求項２】
前記第１の側板部の前記天板部から前記第１の通気孔までの第１の間隔よりも、前記第２の側板部の前記天板部から前記第２の通気孔までの第２の間隔が小さく形成されている請求項１記載の室内照明空気浄化装置。
【請求項３】
前記天板部は、一対の長手辺と一対の短手辺とを有する矩形状に形成され、該一対の長手辺それぞれまたは一対の短手辺のそれぞれに沿って前記第１、第２の側板部が形成されている請求項１または２記載の室内照明空気浄化装置。
【請求項４】
前記仕切部材は、前記天板部の幅よりも大きい幅を有する平板状の気流誘導板を有し、
該気流誘導板が前記照射スペース内において、前記第１の側板部側から前記第２の側板部側に向かって上り傾斜状に配置されている請求項１〜３のいずれか一項記載の室内照明空気浄化装置。
【請求項５】
前記仕切部材は、前記気流誘導板に接続され、前記第２の側板部に沿って配置されている支持板を更に有し、該気流誘導板と、該支持板とが鋭角をなすように形成されている請求項４記載の室内照明空気浄化装置。
【請求項６】
前記仕切部材は、紫外線を遮断または吸収し、かつ可視光線を透過する紫外線遮蔽部が形成されている請求項１〜５のいずれか一項記載の室内照明空気浄化装置。
【請求項７】
前記第２の側板部に形成されている前記第２の通気孔の個数よりも、前記第１の側板部に形成されている前記第１の通気孔の個数が多い請求項１〜６のいずれか一項記載の室内照明空気浄化装置。
【請求項８】
室内照明空気浄化装置を用いて室内の空気が浄化される空気浄化方法であって、該室内照明空気浄化装置は、
紫外線発光ダイオードが配置されている発光板部材と、
該発光板部材が固定されている天板部と、該天板部を挟んで対向する第１の側板部および第２の側板部とを有し、前記発光板部材の前記紫外線発光ダイオードが発生する紫外線が照射される照射スペースが前記天板部と前記第１、第２の側板部とによって形成されているカバー部材と、
該カバー部材の前記照射スペースを、前記発光板部材側の有効スペースと、該有効スペース以外の非有効スペースとに仕切る仕切部材とを有し、
前記第１の側板部は、前記有効スペースにつながる第１の通気孔を有し、
前記第２の側板部は、前記有効スペースにつながる第２の通気孔を有し、
前記仕切部材は、前記照射スペース内において、前記第１の側板部側から前記第２の側板部側に向かって上り傾斜状に配置され、
前記カバー部材の前記天板部が室内天井に固定される形状を有し、
送風手段によって形成される送風の風上側に前記第１の側板部が配置されて、かつ前記天板部が室内天井に固定され、前記送風が前記第１の側板部の前記第１の通気孔から前記有効スペースに入り、前記第２の通気孔から出るまでの間に前記紫外線発光ダイオードが発生する紫外線が前記送風に照射されることによって、前記室内の空気が浄化される空気浄化方法。
【発明の詳細な説明】
【技術分野】
【０００１】
本発明は、室内の明かりを生成するとともに、紫外線によって、室内の空気（以下「内気」ともいう）の殺菌、滅菌、除菌等の浄化を行う室内照明空気浄化装置およびそれを用いた空気浄化方法に関する。
【背景技術】
【０００２】
従来、室内の明かりを生成する照明装置として、種々の装置が知られている。近年、光源として、発光ダイオード（light emitting diode: ＬＥＤともいう）が用いられている照明装置が広く知られている。
【０００３】
例えば、特許文献１には、台座、支柱部および光源を有し、光源としてのＬＥＤが支柱部内部のソケットに差し込まれているフロアスタンドが開示されている。
【０００４】
発光ダイオード（ＬＥＤ）の中には、紫外線を発生するタイプ（紫外線照射発光ダイオード、ＵＶ−ＬＥＤともいう）があり、その紫外線による殺菌、滅菌等を行う装置が知られている（例えば、特許文献２、特許文献３参照）。
【０００５】
特許文献２には、ＵＶ−ＬＥＤと、その光の出射側に配置されているコリメートレンズと、コリメートレンズをカバーするように配置されている凸レンズとを有する紫外線照射装置が開示されている。また、特許文献３には、筐体と、その内部空間に収容されている吸気ファン、排気ファン、紫外線照射部とを有するパネル型殺菌装置が開示されている。
【０００６】
一方、ＵＶ−ＬＥＤが発生する光（ＬＥＤ光）を明かりとして用い、そのＵＶ−ＬＥＤが発生する紫外線によって殺菌、滅菌等を行うことで、照明装置と殺菌、滅菌等を行う空気清浄装置とを兼備した装置も知られていた（例えば、特許文献４参照）。
【０００７】
特許文献４には、図１６に示すような照明兼空気清浄器３００が開示されている。照明兼空気清浄器３００は、床面に対して斜め傾斜状に配置される樹脂カバー３０１と、樹脂カバー３０１の背面側に配置されて樹脂カバー３０１を支持する発光体スタンド３０２と、その発光体スタンド３０２の樹脂カバー３０１に沿った斜め傾斜状の基板３０３に固定されたＵＶ−ＬＥＤ３０４とを有している。また、照明兼空気清浄器３００では、樹脂カバー３０１と基板３０３との間に空気路３０５が確保されている。
【先行技術文献】
【特許文献】
【０００８】
【特許文献１】特表２００４−５１７４５４号公報
【特許文献２】特開２００５−２０３４８１号公報
【特許文献３】特開２０１３−１０３０３２号公報
【特許文献４】国際公開番号ＷＯ２０１１／０４９０４７号公報
【発明の概要】
【発明が解決しようとする課題】
【０００９】
前述した特許文献４に開示されている照明兼空気清浄器３００のように、ＵＶ−ＬＥＤを用いることで、照明装置と空気浄化装置とを兼備した装置を設けることができる。このような装置は、細菌やウイルス等が除去された清浄な空気が求められる場所、特に病室、治療室、手術室といった医療行為が行われる場所や医療機関の待合室や廊下などに配置されることが望ましい。
【００１０】
この点、特許文献４に開示されている照明兼空気清浄器３００は、床面に対して斜め傾斜状に配置される樹脂カバー３０１と、それを支持する発光体スタンド３０２とを有していた。そのため、照明兼空気清浄器３００は、病室や治療室等で床置きして使用することができる。
【００１１】
しかし、照明兼空気清浄器３００が床置きされた場合、樹脂カバー３０１の前方が明るく照らされるだけであり、照明兼空気清浄器３００では、病室や治療室等の室内が部分的に明るくなるに過ぎない。
【００１２】
また、病室、治療室、手術室には医療行為に欠かせない装置や器具が配置されているため、照明兼空気清浄器３００が床置きされると、医療従事者の医療行為を妨げる恐れもある。
【００１３】
一方、照明兼空気清浄器３００は空気路３０５が確保されており、ＵＶ−ＬＥＤ３０４から空気路３０５内に放射される紫外線によって、空気路３０５内の空気が殺菌等される。
【００１４】
しかし、照明兼空気清浄器３００では、空気路３０５内の空気を動かすことが考慮されていなく、紫外線によって殺菌等された空気が空気路３０５内に留まりやすい。したがって、特に病室、治療室、手術室といった医療行為が行われる場所はもちろん、そのほかの室内でも、内気が部分的に殺菌等されるに過ぎなかった。
【００１５】
本発明は、上記課題を解決するためになされたもので、室内の広範囲を明るく照らすとともに、内気を広範囲にわたって有効に殺菌等して浄化し得る室内照明空気浄化装置と、それを用いた空気浄化方法を提供することを目的とする。
【課題を解決するための手段】
【００１６】
上記課題を解決するため、本発明は、紫外線発光ダイオードが配置されている発光板部材と、その発光板部材が固定されている天板部と、その天板部を挟んで対向する第１の側板部および第２の側板部とを有し、発光板部材の紫外線発光ダイオードが発生する紫外線が照射される照射スペースが天板部と第１、第２の側板部とによって形成されているカバー部材と、そのカバー部材の照射スペースを、発光板部材側の有効スペースと、その有効スペース以外の非有効スペースとに仕切る仕切部材とを有し、第１の側板部は、有効スペースにつながる第１の通気孔を有し、第２の側板部は、有効スペースにつながる第２の通気孔を有し、仕切部材は、照射スペース内において、第１の側板部側から第２の側板部側に向かって上り傾斜状に配置され、カバー部材の天板部が室内天井に固定される形状を有している室内照明空気浄化装置を提供する。
【００１７】
上記室内照明空気浄化装置の場合、第１の側板部の天板部から第１の通気孔までの第１の間隔よりも、第２の側板部の天板部から第２の通気孔までの第２の間隔が小さく形成されていることが好ましい。
【００１８】
また、天板部は、一対の長手辺と一対の短手辺とを有する矩形状に形成され、その一対の長手辺それぞれまたは一対の短手辺のそれぞれに沿って第１、第２の側板部が形成されていることが好ましい。
【００１９】
さらに、仕切部材は、天板部の幅よりも大きい幅を有する平板状の気流誘導板を有し、その気流誘導板が照射スペース内において、第１の側板部側から第２の側板部側に向かって上り傾斜状に配置されていることが好ましい。
【００２０】
また、仕切部材は、気流誘導板に接続され、第２の側板部に沿って配置されている支持板を更に有し、その気流誘導板と、その支持板とが鋭角をなすように形成されているようにすることもできる。
【００２１】
さらに、仕切部材は、紫外線を遮断または吸収し、かつ可視光線を透過する紫外線遮蔽部が形成されているようにすることもできる。
【００２２】
また、第２の側板部に形成されている第２の通気孔の個数よりも、第１の側板部に形成されている第１の通気孔の個数が多いことが好ましい。
【００２３】
そして、本発明は、室内照明空気浄化装置を用いて室内の空気が浄化される空気浄化方法であって、その室内照明空気浄化装置は、紫外線発光ダイオードが配置されている発光板部材と、その発光板部材が固定されている天板部と、その天板部を挟んで対向する第１の側板部および第２の側板部とを有し、発光板部材の紫外線発光ダイオードが発生する紫外線が照射される照射スペースが天板部と第１、第２の側板部とによって形成されているカバー部材と、そのカバー部材の照射スペースを、発光板部材側の有効スペースと、その有効スペース以外の非有効スペースとに仕切る仕切部材とを有し、第１の側板部は、有効スペースにつながる第１の通気孔を有し、第２の側板部は、有効スペースにつながる第２の通気孔を有し、仕切部材は、照射スペース内において、第１の側板部側から第２の側板部側に向かって上り傾斜状に配置され、カバー部材の天板部が室内天井に固定される形状を有し、送風手段によって形成される送風の風上側に第１の側板部が配置されて、かつ天板部が室内天井に固定され、送風が第１の側板部の第１の通気孔から有効スペースに入り、第２の通気孔から出るまでの間に紫外線発光ダイオードが発生する紫外線が送風に照射されることによって、室内の空気が浄化される空気浄化方法を提供する。
【発明の効果】
【００２４】
以上詳述したように、本発明によれば、室内の広範囲を明るく照らすとともに、内気を広範囲にわたって有効に浄化し得る室内照明空気浄化装置と、それを用いた空気浄化方法が得られる。
【図面の簡単な説明】
【００２５】
【図１】本発明の実施の形態に係る室内照明空気浄化装置の両端カバー部材を省略した正面図である。
【図２】本発明の実施の形態に係る室内照明空気浄化装置の分解斜視図である。
【図３】本発明の実施の形態に係る室内照明空気浄化装置の両端カバー部材が省略され、かつ仕切部材が引き出された状態を示す斜視図である。
【図４】カバー部材を示す斜視図である。
【図５】カバー部材の左側面図である。
【図６】同じく右側面図である。
【図７】仕切部材の斜視図である。
【図８】紫外線ＬＥＤパネルの平面図である。
【図９】両端カバー部材の斜視図である。
【図１０】仕切部材の図７とは別角度からみた斜視図である。
【図１１】室内照明空気浄化装置の動作内容を模式的に示す正面図である。
【図１２】室内照明空気浄化装置の動作内容を模式的に示す一部省略した斜視図である。
【図１３】室内照明空気浄化装置を用いた空気浄化方法の一例を示す断面図である。
【図１４】室内照明空気浄化装置と空気調和機の一例を示す平面図である。
【図１５】変形例に係る室内照明空気浄化装置の両端カバー部材を省略した斜視図である。
【図１６】従来の照明兼空気清浄器の両端カバー部材を省略した斜視図である。
【発明を実施するための形態】
【００２６】
以下、本発明の実施の形態について図面を参照しつつ説明する。なお、同一要素には同一符号を用い、重複する説明は省略する。
【００２７】
本発明の実施の形態に係る室内照明空気浄化装置１について、図１〜図１０を参照して説明する。図１は、本発明の実施の形態に係る室内照明空気浄化装置１の両端カバー部材６０，７０を省略した正面図である。図２は、室内照明空気浄化装置１の分解斜視図である。図３は、室内照明空気浄化装置１の両端カバー部材６０，７０が省略され、かつ仕切部材５０が引き出された状態を示す斜視図である。図４はカバー部材４０を示す斜視図である。図５はカバー部材４０の左側面図、図６は同じく右側面図である。図７は仕切部材５０の斜視図である。図８は紫外線ＬＥＤパネル１０の平面図、図９は両端カバー部材６０，７０の斜視図、図１０は仕切部材５０の図７とは別角度からみた斜視図である。
【００２８】
（室内照明空気浄化装置１の構成）
本発明の実施の形態に係る室内照明空気浄化装置１は、図１〜図３に示すように、紫外線ＬＥＤパネル１０と、カバー部材４０と、仕切部材５０と、両端カバー部材６０，７０とを有している。
【００２９】
紫外線ＬＥＤパネル１０は、本発明の実施の形態に係る発光板部材である。紫外線ＬＥＤパネル１０は、図８に示すように、基板１１と、紫外線ＬＥＤチップ１２とを有し、複数の紫外線ＬＥＤチップ１２がその基板１１上に配置されている。基板１１には、紫外線ＬＥＤチップ１２とともに、入力端子部１３、出力端子部１４が配置されている。
【００３０】
基板１１は、長尺矩形状に形成されている板状の部材であって、長手辺１１ａ，１１ａと、短手辺１１ｂ，１１ｂとを有している。短手辺１１ｂ，１１ｂに沿って、入力端子部１３、出力端子部１４が配置されている。各紫外線ＬＥＤチップ１２は、紫外線を発生する紫外線発光ダイオード（ＵＶ−ＬＥＤ）１５を有している。
【００３１】
カバー部材４０は、アルミニウム等の金属や樹脂を用いて断面が概ねＵ字状に形成されている部材である。カバー部材４０は、図３、図４に詳しく示すように、天板部２０と、天板部２０を挟んで対向する第１の側板部２１、第２の側板部２２とを有している。その天板部２０と第１、第２の側板部２１，２２とによって（天板部２０と、第１、第２の側板部２１，２２とによって囲まれるように）、照射スペース３０（図１、図３参照）が形成されている。照射スペース３０は、カバー部材４０の内側の、紫外線ＬＥＤパネル１０のＵＶ−ＬＥＤ１５が発生する紫外線が照射される空間であって、図１において、ハッチングが付されている部分である。なお、室内照明空気浄化装置１では、第１、第２の側板部２１，２２に沿った方向の寸法を「長さ」、第１の側板部２１から第２の側板部２２に向かう方向（第１、第２の側板部２１，２２に交差する方向）の寸法を「幅」としている。
【００３２】
天板部２０は、図４に示すように、一対の長手辺２０ａ，２０ｂと、一対の短手辺２０ｃ，２０ｄとを有する長尺矩形状の板材である。短手辺２０ｃ，２０ｄに比べて長手辺２０ａ，２０ｂが大きく形成されている。その長手辺２０ａ，２０ｂのそれぞれに沿って、それぞれ第１、第２の側板部２１、２２が形成されている。また、図１に示すように、天板部２０の内側の表面（照射スペース３０を形成する側の表面）に紫外線ＬＥＤパネル１０が固定されている。紫外線ＬＥＤパネル１０は、ＵＶ−ＬＥＤ１５が照射スペース３０側を向き、かつ長手辺１１ａ，１１ａがそれぞれ長手辺２０ａ，２０ｂに沿って配置されるように、固定されている。
【００３３】
第１、第２の側板部２１、２２は天板部２０と直交するように形成されている。第１、第２の側板部２１、２２は、それぞれ天板部２０の長手辺２０ａ，２０ｂに応じた長さを有し、天板部２０の幅（短手辺２０ｃ，２０ｄの長さ）よりも短い高さを有している。
【００３４】
また、図５、図６に詳しく示すように、第１、第２の側板部２１、２２はそれぞれ第１、第２の通気孔２１ａ，２２ａを有している。
【００３５】
第１の通気孔２１ａは、円形状の孔部であって、第１の側板部２１の外側から照射スペース３０の後述する有効スペース３１にまでつながっている。第１の通気孔２１ａは、図５に示すように、第１の側板部２１の高さ方向上端部（天板部２０）から第１の間隔ｄ２１離れた位置に形成されている。また、第１の通気孔２１ａは、第１の側板部２１の高さ方向に沿って３個並べられ、かつ第１の側板部２１の長さ方向に沿って第１の側板部２１のほぼ全体に多数形成されている。
【００３６】
第２の通気孔２２ａは、円形状の孔部であって、第２の側板部２２の外側から有効スペース３１にまでつながっている。第２の通気孔２２ａは、図６に示すように、第２の側板部２２の高さ方向上端部（天板部２０）から、第１の間隔ｄ２１よりも小さい第２の間隔ｄ２２離れた位置に形成されている。また、第２の通気孔２２ａは、第２の側板部２２の高さ方向に沿って１個並べられ、かつ第２の側板部２２の長さ方向に沿って第２の側板部２２のほぼ全体に多数形成されている。
【００３７】
そして、図４に示すように、第１、第２の側板部２１、２２は下端部（天板部２０から離れた側の端部）にそれぞれ受板部２３，２４が形成されている。受板部２３，２４は、それぞれ第１、第２の側板部２１、２２の下端部から照射スペース３０側に向けて、天板部２０の幅よりも小さい大きさで張り出すように形成されている。そして、図１に示すように、仕切部材５０の後述する気流誘導板５１、支持板５２がそれぞれ受板部２３，２４に載置されることによって、仕切部材５０が支持されている。
【００３８】
仕切部材５０は図７、図１０に詳しく示すように、アルミニウムなどの金属や樹脂を用いて形成されている部材であって、気流誘導板５１と、支持板５２とを有している。仕切部材５０は、気流誘導板５１と支持板５２とが鋭角αをなすように形成されている。
【００３９】
気流誘導板５１は平板状の部材であって、天板部２０の長さに応じた長さを有し、天板部２０の幅よりも少し大きい幅を有している。また、図１に示すように、気流誘導板５１は、照射スペース３０内において、第１の側板部２１（第１の通気孔２１ａ）から第２の側板部２２（第２の通気孔２２ａ）に向かって上り傾斜状に配置（またはカバー部材４０に固着）されている。気流誘導板５１の上端部（第２の側板部２２側の端部）に支持板５２が接続されている。
【００４０】
支持板５２は、平坦な板材であって、天板部２０の長さに応じた長さを有し、第１、第２の側板部２１、２２の高さよりも少し小さい高さを有している。
【００４１】
そして、仕切部材５０が照射スペース３０内に配置されていることによって、図１に示すように、照射スペース３０が、有効スペース３１と、有効スペース３１以外のスペース（非有効スペース３２）との２つのスペースに気流誘導板５１によって仕切られている（分割されている）。
【００４２】
また、図１０に示すように、気流誘導板５１の表側（天板部２０側）の表面に紫外線遮蔽部５３が形成されている。図１０において、ドットが付されている部分に紫外線遮蔽部５３が形成されている。
【００４３】
有効スペース３１は、照射スペース３０のうちの気流誘導板５１によって仕切られている部分であって、天板部２０に近い天板部２０側のスペースである。図１において、ハッチングが付された部分が照射スペース３０、そのハッチングが付されている部分のうち、ドットが付されている部分が有効スペース３１、ドットが付されていない部分が非有効スペース３２である。
【００４４】
有効スペース３１は、天板部２０側のスペースであるから、ＵＶ−ＬＥＤ１５の発光Ｌおよび紫外線１０Ｘ（詳しくは後述する）が非有効スペース３２よりも、より有効に照射される。これに対し、非有効スペース３２は、気流誘導板５１を挟んで天板部２０よりも離れたスペースである。その気流誘導板５１の表面に紫外線遮蔽部５３が形成されているため、ＵＶ−ＬＥＤ１５の紫外線１０Ｘが照射されない。
【００４５】
そして、気流誘導板５１の表側の表面に、樹脂製の紫外線カットフィルムや紫外線フィルターが張り付けられて紫外線遮蔽部５３とすることができる。例えば、紫外線透過・可視光線透過性のフッ素樹脂を用いて所定膜厚（例えば４ｍｍ以上）のフィルムが形成された場合、そのフィルムの紫外線透過性が大幅に抑制される。また、膜厚がより大きい場合（例えば５ｍｍ以上）は紫外線がそのフィルムによってほぼ吸収される。よって、紫外線透過・可視光線透過のフッ素樹脂を用いて所定膜厚（例えば４ｍｍ以上）のフィルムが形成された場合、そのフィルムによって紫外線が遮断または吸収される。そのため、そのフィルムが気流誘導板５１の表側の表面に貼り付け等により固着されることによって、紫外線遮蔽部５３が形成される。また、紫外線透過・可視光線透過に加えて、遮熱性を有するフィルムを用いることもできる。
【００４６】
両端カバー部材６０，７０は、図９に示すように、概ねＬ字状に形成されている部材である。両端カバー部材６０，７０は、それぞれ固定端面６１、７１と、閉鎖面６２，７２とを有している。固定端面６１、７１は、それぞれ天板部２０の幅に応じた横幅と、それよりも小さい縦幅とを有している。閉鎖面６２，７２は、それぞれ天板部２０の幅に応じた横幅と、第１、第２の側板部２１、２２の高さに応じた高さとを有している。
【００４７】
そして、両端カバー部材６０，７０は、図１に示すように、仕切部材５０が照射スペース３０に配置されている状態において、図２に示すように、カバー部材４０の長さ方向の両端部にそれぞれ固着されている。その際、閉鎖面６２，７２がそれぞれカバー部材４０の長さ方向の開口部４０ａ，４０ｂ（図４参照）を閉鎖している状態において、固定端部６１、７１がそれぞれ天板部２０に固着されている。
【００４８】
（室内照明空気浄化装置１の動作内容、作用効果）
室内照明空気浄化装置１は、例えば、病室、治療室、手術室等の室内において、室内天井に固定されることにより設置して使用される。このとき、電源スイッチが投入されたことによって、図示しない電源から紫外線ＬＥＤパネル１０に電力が供給される。
【００４９】
すると、紫外線ＬＥＤパネル１０において、各ＵＶ−ＬＥＤ１５が点灯する。それによって、図１１に示すように、各ＵＶ−ＬＥＤ１５の発光Ｌが得られ、また、各ＵＶ−ＬＥＤ１５から紫外線１０Ｘが発生する。
【００５０】
一方、電源スイッチが投入された時点で照射スペース３０には内気が充満している。発光Ｌに伴うＵＶ−ＬＥＤ１５の発熱によって、照射スペース３０内の内気の温度が上昇する。すると、その内気が軽くなる。
【００５１】
しかし、照射スペース３０が気流誘導板５１によって有効スペース３１と、非有効スペース３２とに仕切られているため、発光Ｌに伴う発熱が非有効スペース３２よりも、有効スペース３１の内気により多く届く。特に、紫外線遮蔽部５３として、遮熱性を有するフィルムが用いられているときは、発光Ｌに伴う発熱が気流誘導板５１に遮られて非有効スペース３２に伝わりにくい。そのため、発光Ｌに伴う発熱が有効スペース３１の内気により有効に届く。
【００５２】
そして、気流誘導板５１が第１の側板部２１（第１の通気孔２１ａ）から第２の側板部２２（第２の通気孔２２ａ）に向かって上り傾斜状に配置されている。
【００５３】
そのため、図１１、図１２に示すように、気流誘導板５１に沿って、第１の側板部２１（第１の通気孔２１ａ）から第２の側板部２２（第２の通気孔２２ａ）に向かう緩やかな気流ａｆが形成される。気流ａｆは、気流誘導板５１に沿って第２の通気孔２２ａに向かって移動する。その気流ａｆが第２の通気孔２２ａに到達するまでの間、紫外線１０Ｘが気流ａｆに照射される。それによって、気流ａｆについて、浮遊している細菌やウイルス等の殺菌、滅菌、除菌等の浄化が行われる。
【００５４】
また、気流ａｆの形成に伴い、外気ａｆ１が第１の側板部２１の外側から第１の通気孔２１ａを通って、有効スペース３１に入り込む。この外気ａｆ１も前述した気流ａｆと同様に、ＵＶ−ＬＥＤ１５の発光Ｌに伴う発熱を受ける。そのため、前述した気流ａｆに続く気流ａｆ１が形成される。その気流ａｆ１も、気流誘導板５１に沿って第２の通気孔２２ａに向かって移動する。気流ａｆ１が第２の通気孔２２ａに到達するまでの間も、紫外線１０Ｘが照射される。そのため、気流ａｆ１についても、殺菌、滅菌、除菌等の浄化が行われる。
【００５５】
以上のように、室内照明空気浄化装置１によって、内気が室内を循環し、その内気が室内照明空気浄化装置１を通る中で紫外線１０Ｘが照射される。こうして、内気の部分的な浄化が実現される
【００５６】
その内気の部分的な浄化が継続することによって、内気を広範囲にわたって浄化でき、内気の広範囲にわたる有効な浄化が実現される。したがって、室内照明空気浄化装置１によって、病室、治療室、手術室、医療機関の待合室や廊下といった医療現場の衛生環境をより良好にすることができる。特に、医療機関の待合室のように、多くの人たちが集まる場所では集まった人たちの中で感染症が広がるおそれがあるが、室内照明空気浄化装置１によって、そういった感染症が広がるおそれが抑制される。
【００５７】
また、室内照明空気浄化装置１が、例えば、カバー部材４０の天板部２０を室内天井に固定して設置されているから、発光Ｌが室内の上方から室内に照射される。したがって、室内照明空気浄化装置１によって、室内の広範囲を明るく照らすことができる。室内照明空気浄化装置１は、室内の照明装置として好適である。
【００５８】
その一方、室内照明空気浄化装置１が紫外線１０Ｘを発生するため、その紫外線１０Ｘによって、室内照明空気浄化装置１の近くの人たちが目を傷めるおそれがある。
【００５９】
しかし、室内照明空気浄化装置１では、ＵＶ−ＬＥＤパネル１０の手前側に紫外線遮蔽部５３が配置されている。そのため、ＵＶ−ＬＥＤパネル１０が発生した紫外線１０Ｘがその紫外線遮蔽部５３によって遮断または吸収される。そのため、紫外線１０ＸがＵＶ−ＬＥＤパネル１０から発生して、気流ａｆの殺菌、除菌などを行ったあと、紫外線遮蔽部５３よりも外側（非有効スペース３２側）には照射されない。したがって、室内照明空気浄化装置１の近くにいる人たちが目を傷めるおそれがない。
【００６０】
一方、室内照明空気浄化装置１では、内気の広範囲の浄化に不可欠な内気の循環がＵＶ−ＬＥＤパネル１０の発熱に起因した内気の温度上昇と、上り傾斜状の仕切部材５０とに委ねられている。そのため、内気が広範囲に浄化されるまでに時間を要する。そこで、本実施の形態では、室内照明空気浄化装置１を用いた空気浄化方法にも特徴がある。
【００６１】
（室内照明空気浄化装置１を用いた空気浄化方法）
本実施の形態にかかる空気浄化方法では、図１３に示すように、天板部２０が室内天井９８に固定されることによって、室内照明空気浄化装置１が室内に設置される。その室内天井９８には、送風手段としての空気調和機９９が埋め込み設置されている。また、図１４に示すように、その空気調和機９９を囲むように、空気調和機９９の近くに４台の室内照明空気浄化装置１が設置されている。
【００６２】
そして、図１３に示すように、その空気調和機９９が送風ＡＦを室内下方に向けて吹き降ろす。その送風ＡＦの一部が空気調和機９９から外側に向かって流れる。このような送風ＡＦによって内気が循環するので、送風ＡＦを活用すれば内気が効率的に浄化される。そのため、送風ＡＦの風上側に第１の側板部２１が配置されるように、４台の室内照明空気浄化装置１が室内に設置される。また、図１４に示すように、室内照明空気浄化装置１が空気調和機９９の外周に沿うようにして設置されている。
【００６３】
このようにすると、送風ＡＦの一部が前述した気流ａｆとして、第１の側板部２１の第１の通気孔２１ａから有効スペース３１に入り、有効スペース３１を通って第２の通気孔２２ａから出るまでの間に、その気流ａｆに対して紫外線１０Ｘが照射される。したがって、内気が効率的に浄化される。
【００６４】
この空気浄化方法によれば、送風手段としての空気調和機９９から吹き降ろされる送風ＡＦを活用した内気の浄化が実現される。その送風ＡＦは、空気調和機９９の動力によって動かされているので、室内照明空気浄化装置１の内部を（空気調和機９９が用いられない場合よりも）速く動く。そのため、この空気浄化方法によれば、内気が広範囲に浄化されるまでの時間が短縮され、内気が効率的に浄化される。
【００６５】
（変形例）
次に、図１５を参照して、変形例にかかる室内照明空気浄化装置１０１について説明する。図１５は、室内照明空気浄化装置１０１の両端カバー部材を省略した斜視図である。
【００６６】
室内照明空気浄化装置１０１は、紫外線ＬＥＤパネル１１０と、カバー部材１４０と、仕切部材１５０と、図示しない両端カバー部材とを有している。
【００６７】
紫外線ＬＥＤパネル１１０は、紫外線ＬＥＤパネル１０と比較して、基板１１１の形状と、紫外線ＬＥＤチップ１２（図１５には図示せず）の配置が異なる点とで相違している。基板１１１は、紫外線ＬＥＤパネル１０の基板１１と同様に矩形状に形成されているが、長手辺，短手辺それぞれの長さの比が基板１１と相違している。また、紫外線ＬＥＤパネル１０の基板１１では、図３に示すように長手辺１１ａ，１１ａが第１、第２の側板部２１、２２に沿って配置されていたが、図１５に示すように、基板１１１では、長手辺１１１ａ，１１１ａが後述する第１、第２の側板部１２１、１２２と交差するように配置されている。
【００６８】
カバー部材１４０は、天板部１２０と、天板部１２０を挟んで対向する第１の側板部１２１、第２の側板部１２２とを有している。天板部１２０は、一対の短手辺１２０ａ，１２０ｂと、一対の長手辺１２０ｃ，１２０ｄとを有する矩形状の板材であるが、長手辺１２０ｃ，１２０ｄ，短手辺１２０ａ，１２０ｂの長さの比が天板部２０と相違している。
【００６９】
第１、第２の側板部１２１、１２２は、それぞれ短手辺１２０ａ，１２０ｂに沿って天板部１２０と直交するように形成されている。それぞれ、第１の通気孔１２１ａ、第１の通気孔１２２ａが形成されている。第１の通気孔１２１ａは天板部１２０から離れた下端部近くに高さ方向に沿って２個並べられている。第２の通気孔１２２ａは天板部１２０側の上端部近くに１個並べられている。
【００７０】
仕切部材１５０は、気流誘導板１５１と、支持板１５２とを有している。前述した気流誘導板５１では、第１の側板部２１から第２の側板部２２に向かう方向の幅（気流誘導板５１の幅）が長さよりも小さく形成されている。これに対し、気流誘導板１５１では、第１の側板部１２１から第２の側板部１２２に向かう方向の幅が第１、第２の側板部１２１、１２２に沿った方向の長さよりも大きく形成されている。
【００７１】
そして、室内照明空気浄化装置１０１でも、気流誘導板１５１が第１の側板部１２１（第１の通気孔１２１ａ）から第２の側板部１２２（第２の通気孔１２２ａ）に向かって上り傾斜状に配置されている。そのため、室内照明空気浄化装置１と同様に、図１５には図示しない気流ａｆが、第１の通気孔１２１ａから気流誘導板１５１に沿って第２の通気孔１２２ａに向かって移動する。その際に、紫外線ＬＥＤパネル１１０の紫外線ＬＥＤチップ１２から紫外線が照射される。
【００７２】
しかし、室内照明空気浄化装置１０１では、気流誘導板１５１について、幅が長さよりも大きく形成されている。そのため、室内照明空気浄化装置１と比べて、気流ａｆが第１の側板部１２１から第２の側板部１２２に到達するまでに要する時間が長くなるので、紫外線１０Ｘがより長時間、照射される。そのため、室内照明空気浄化装置１０１では、内気の殺菌、滅菌、除菌等の浄化がより効果的に行われる。その他、室内照明空気浄化装置１０１は、室内照明空気浄化装置１と同様の作用効果を奏する。
【００７３】
以上の実施形態では、仕切部材として、気流誘導板５１と支持板５２とを有する仕切部材５０と、気流誘導板１５１と支持板１５２とを有する仕切部材１５０とを例にとって説明している。本実施の形態は、支持板５２，１５２を有してなく、気流誘導板５１，１５１だけを備えた仕切部材（図示せず）を有する室内照明空気浄化装置にも適用される。この場合、気流誘導板５１，１５１の第２の側板部２２，１２２側の端部が接着、溶接等により、それぞれ第２の側板部２２，１２２に固着されることによって、気流誘導板５１，１５１が上り傾斜状に配置される。
【００７４】
また、明るさを確保するため、紫外線ＬＥＤパネル１０，１１０がＵＶ−ＬＥＤ１５に加えて可視光を発生するＬＥＤを有していてもよい。
【産業上の利用可能性】
【００７５】
本発明を適用することにより、室内の広範囲を明るく照らすとともに、内気を広範囲にわたって有効に浄化し得る室内照明空気浄化装置と、それを用いた空気浄化方法が得られる。本発明は、室内照明空気浄化装置と、それを用いた空気浄化方法の分野で利用することができる。
【符号の説明】
【００７６】
１，１０１…室内照明空気浄化装置、１０，１１０…紫外線ＬＥＤモジュール、１２…紫外線ＬＥＤチップ、１５…ＵＶ−ＬＥＤ、２０，１２０…天板部、２０ａ，２０ｂ…長手辺、２０ｃ，２０ｄ…短手辺、２１，１２１…第１の側板部、２２，１２２…第２の側板部、２１ａ，１２１ａ…第１の通気孔、２２ａ，１２２ａ…第２の通気孔、３０…照射スペース、３１…有効スペース、３２…非有効スペース、４０，１４０…カバー部材、５０，１５０…仕切部材、５１，１５１…気流誘導版、５２，１５２…支持板、５３…紫外線遮蔽部、９８…室内天井、９９…空気調和機。
【要約】
【課題】室内の広範囲を明るく照らすとともに、内気を広範囲にわたって有効に浄化し得る室内照明空気浄化装置と空気浄化方法を提供する。
【解決手段】室内照明空気浄化装置１は、ＵＶ−ＬＥＤ１５が配置されている紫外線ＬＥＤパネル１０と、天板部２０と第１、第２の側板部２１、２２とを有し、ＵＶ−ＬＥＤ１５が発生する紫外線が照射される照射スペース３０が形成されているカバー部材４０と、照射スペース３０を有効スペース３１と非有効スペース３２とに仕切る仕切部材５０とを有する。第１の側板部２１，２２は、それぞれ有効スペース３１につながる第１、第２の通気孔２１ａ，２２ａを有する。仕切部材５０は、照射スペース３０内において、第１の側板部２１側から第２の側板部２２側に向かって上り傾斜状に配置されている。
【選択図】図１【図１】
0006867719.tif 000002
【図２】
0006867719.tif 000003
【図３】
0006867719.tif 000004
【図４】
0006867719.tif 000005
【図５】
0006867719.tif 000006
【図６】
0006867719.tif 000007
【図７】
0006867719.tif 000008
【図８】
0006867719.tif 000009
【図９】
0006867719.tif 000010
【図１０】
0006867719.tif 000011
【図１１】
0006867719.tif 000012
【図１２】
0006867719.tif 000013
【図１３】
0006867719.tif 000014
【図１４】
0006867719.tif 000015
【図１５】
0006867719.tif 000016
【図１６】
0006867719.tif 000017